(57)【要約】【課題】ユーザの操作性を向上させること。【解決手段】画像記録装置と携帯端末との間で第１無線通信が確立されたとき、携帯端末は、自身の起点姿勢情報を取得し（Ｂ１）、所定周期毎に記憶される姿勢信号と起点姿勢情報とから携帯端末が９０度回転していれば横向き印刷に（Ｂ４）、していなければ縦向き印刷に印刷設定を更新し（Ｂ５）、携帯端末が上下逆転していれば両面印刷に（Ｂ７）、していなければ片面印刷に印刷設定を更新する（Ｂ８）。印刷設定が更新される毎に、更新された印刷設定は携帯端末からＭＦＰに送信される（Ｂ１０）。ＮＦＣ通信が切断されると、携帯端末からＭＦＰにＷＦＤ通信で画像データが送信され、ＭＦＰは、受信した印刷設定で受信した画像データに係る画像を用紙に印刷する。【選択図】図７
2014168179.tif 000002
【特許請求の範囲】
【請求項１】
携帯端末と、記録媒体に画像を記録する画像記録装置とを有する画像記録システムであって、
前記携帯端末は、
画像データを記憶する記憶手段と、
前記画像記録装置との間の距離が所定の通信可能距離内となる場合に確立される第１無線通信にて、前記画像記録装置との間でデータ通信を行うための携帯端末側第１通信手段と、
前記携帯端末及び前記画像記録装置のそれぞれに係る通信設定情報に基づいて確立される、前記第１無線通信よりも通信速度が速い第２通信にて、前記画像記録装置との間でデータ通信を行う携帯端末側第２通信手段と、
前記携帯端末の姿勢に関する信号を出力するセンサと、
前記第１及び第２通信手段、並びに、前記センサを制御する携帯端末側制御手段とを備えており、
前記携帯端末側制御手段は、
前記携帯端末側第１通信手段により前記第１無線通信を行うことが可能であり、
前記携帯端末側第２通信手段により前記第２無線通信を行うことが可能であり、
前記第１無線通信により、前記携帯端末に係る前記通信設定情報を送信する携帯端末通信設定情報送信処理、及び前記画像記録装置に係る前記通信設定情報を受信する画像記録装置通信設定情報受信処理の少なくとも何れかと、
前記画像記録装置との間で前記第１無線通信が確立されたときから、前記センサが出力する信号を連続的に記録する記録処理と、
前記記録処理で連続的に記録された信号から生成した情報を複数の画像記録条件のそれぞれに対応する複数の参照情報と比較して、当該複数の参照情報のいずれかと一致するときは、一致した参照情報に対応する画像記録条件を指示するためのコマンドを選択するコマンド選択処理と、
前記コマンド選択処理で選択された一又は複数の前記コマンドを、前記第１無線通信又は前記第２無線通信により、前記画像記録装置に送信するコマンド送信処理と、
前記記憶手段に記憶された前記画像データのうち前記画像記録装置にて記録すべき前記画像データを、前記第２無線通信により、前記画像記録装置に送信する画像データ送信処理とを行い、
前記画像記録装置は、
前記第１無線通信にて、前記携帯端末との間でデータ通信を行うための画像記録装置側第１通信手段と、
前記第２無線通信にて、前記携帯端末との間でデータ通信を行うための画像記録装置側第２通信手段と、
前記画像データに関する画像を記録媒体に記録する画像記録機構と、
前記画像記録装置側第１通信手段及び画像記録装置側第２通信手段、並びに、前記画像記録機構を制御する画像記録装置側制御手段とを備えており、
前記画像記録装置側制御手段は、
前記画像記録装置側第１通信手段により前記第１無線通信を行うことが可能であり、
前記画像記録装置側第２通信手段により前記第２無線通信を行うことが可能であり、
前記第１無線通信により、前記携帯端末側制御手段の制御に従い送信された前記携帯端末に係る前記通信設定情報を受信する携帯端末通信設定情報受信処理、及び前記携帯端末側制御手段の制御に従い受信される前記画像記録装置に係る前記通信設定情報を送信する画像記録装置通信設定情報送信処理の少なくとも何れかと、
前記第１無線通信又は前記第２無線通信のいずれかによって、前記携帯端末から送信された一又は複数の前記コマンドに従って、画像記録条件を確定する画像記録条件確定処理と、
前記第２無線通信によって前記携帯端末から送信された前記画像データが、前記画像記録条件確定処理によって確定された画像記録条件で記録されるように、前記画像記録機構を制御する記録処理とを行うことを特徴とする画像記録システム。
【請求項２】
前記画像記録装置側制御手段は、前記画像記録条件確定処理において、前記携帯端末との間で確立された前記第１無線通信が切断されてから当該第１無線通信が再度確立していない切断時間が、第１所定時間経過したときに、前記画像記録条件を確定させることを特徴とする請求項１に記載の画像記録システム。
【請求項３】
前記携帯端末側制御手段は、前記携帯端末との間で確立された前記第１通信が切断された後、当該第１無線通信が再度確立していない切断時間が、前記第１所定時間以下の時間である第２所定時間を経過するまで前記記録処理を行うことを特徴とする請求項２に記載の画像記録システム。
【請求項４】
前記携帯端末側制御手段は、前記記録処理において、前記画像記録装置との間で確立された前記第１通信が切断されてから前記第１所定時間が経過したときに、記録された信号を全て消去することを特徴とする請求項２又は３に記載の画像記録システム。
【請求項５】
前記携帯端末側制御手段は、
前記コマンド選択処理においてコマンドを選択する都度、当該選択したコマンドを前記コマンド送信処理により、前記第１無線通信により前記画像記録装置へ送信し、
前記画像記録装置側制御手段は、前記切断時間が前記第１所定時間を経過したときに、   前記画像記録条件確定処理において、当該第１無線通信の切断までに前記携帯端末より前記第１無線通信により受信した、一又は複数の前記コマンドに従って、画像記録条件を確定することを特徴とする、請求項２〜４のいずれか１項に記載の画像記録システム。
【請求項６】
携帯端末と、記録媒体に画像を記録する画像記録装置とを有する画像記録システムにおける画像記録方法であって、
前記携帯端末は、画像データを記憶する記憶手段と、前記画像記録装置との間の距離が所定の通信可能距離内となる場合に確立される第１無線通信にて、前記画像記録装置との間でデータ通信を行うための携帯端末側第１通信手段と、前記携帯端末及び前記画像記録装置のそれぞれに係る通信設定情報に基づいて確立される、前記第１無線通信よりも通信速度が速い第２通信にて、前記画像記録装置との間でデータ通信を行う携帯端末側第２通信手段と、前記携帯端末の姿勢に関する信号を出力するセンサと、前記第１及び第２通信手段、並びに、前記センサを制御する携帯端末側制御手段とを備えており、
前記携帯端末側制御手段において、
前記携帯端末側第１通信手段により前記第１無線通信を行うことが可能であり、
前記携帯端末側第２通信手段により前記第２無線通信を行うことが可能であり、
前記第１無線通信により、前記携帯端末に係る前記通信設定情報を送信する携帯端末通信設定情報送信処理、及び前記画像記録装置に係る前記通信設定情報を受信する画像記録装置通信設定情報受信処理の少なくとも何れかと、前記画像記録装置との間で前記第１無線通信が確立されたときから、前記センサが出力する信号を連続的に記録する記録処理、
前記記録処理で連続的に記録された信号から生成した情報を複数の画像記録条件のそれぞれに対応する複数の参照情報と比較して、当該複数の参照情報のいずれかと一致するときは、一致した参照情報に対応する画像記録条件を指示するためのコマンドを選択するコマンド選択処理、
前記コマンド選択処理で選択された一又は複数の前記コマンドを、前記第１無線通信又は前記第２無線通信により、前記画像記録装置に送信するコマンド送信処理、及び、
前記記憶手段に記憶された前記画像データのうち前記画像記録装置にて記録すべき前記画像データを、前記第２無線通信により、前記画像記録装置に送信する画像データ送信処理を行い、
前記画像記録装置は、前記第１無線通信にて、前記携帯端末との間でデータ通信を行うための画像記録装置側第１通信手段と、前記第２無線通信にて、前記携帯端末との間でデータ通信を行うための画像記録装置側第２通信手段と、前記画像データに関する画像を記録媒体に記録する画像記録機構と、前記画像記録装置側第１通信手段及び画像記録装置側第２通信手段、並びに、前記画像記録機構を制御する画像記録装置側制御手段とを備えており、
前記画像記録装置側制御手段において、
前記画像記録装置側第１通信手段により前記第１無線通信を行うことが可能であり、
前記画像記録装置側第２通信手段により前記第２無線通信を行うことが可能であり、
前記第１無線通信により、前記携帯端末側制御手段の制御に従い送信された前記携帯端末に係る前記通信設定情報を受信する携帯端末通信設定情報受信処理、及び前記携帯端末側制御手段の制御に従い受信される前記画像記録装置に係る前記通信設定情報を送信する画像記録装置通信設定情報送信処理の少なくとも何れか、
前記第１無線通信又は前記第２無線通信のいずれかによって、前記携帯端末から送信された一又は複数の前記コマンドに従って、画像記録条件を確定する画像記録条件確定処理、及び、
前記第２無線通信によって前記携帯端末から送信された前記画像データが、前記画像記録条件確定処理によって確定された画像記録条件で記録されるように、前記画像記録機構を制御する記録処理を行うことを特徴とする画像記録方法。
【請求項７】
画像データを記憶する記憶手段と、
画像記録装置との間の距離が所定の通信可能距離内となる場合に確立される第１無線通信にて、前記画像記録装置との間でデータ通信を行うための携帯端末側第１通信手段と、
前記携帯端末及び前記画像記録装置のそれぞれに係る通信設定情報に基づいて確立される、前記第１無線通信よりも通信速度が速い第２通信にて、前記画像記録装置との間でデータ通信を行う携帯端末側第２通信手段と、
前記携帯端末の姿勢に関する信号を出力するセンサと、
前記第１及び第２通信手段、並びに、前記センサを制御する携帯端末側制御手段とを備えており、
前記携帯端末側制御手段は、
前記携帯端末側第１通信手段により前記第１無線通信を行うことが可能であり、
前記携帯端末側第２通信手段により前記第２無線通信を行うことが可能であり、
前記第１無線通信により、前記携帯端末に係る前記通信設定情報を送信する携帯端末通信設定情報送信処理、及び前記画像記録装置に係る前記通信設定情報を受信する画像記録装置通信設定情報受信処理の少なくとも何れかと、前記画像記録装置との間で前記第１無線通信が確立されたときから、前記センサが出力する信号を連続的に記録する記録処理と、
前記記録処理で連続的に記録された信号から生成した情報を複数の画像記録条件のそれぞれに対応する複数の参照情報と比較して、当該複数の参照情報のいずれかと一致するときは、一致した参照情報に対応する画像記録条件を指示するためのコマンドを選択するコマンド選択処理と、
前記コマンド選択処理で選択された一又は複数の前記コマンドを、前記第１無線通信又は前記第２無線通信により、前記画像記録装置に送信するコマンド送信処理と、
前記記憶手段に記憶された前記画像データのうち前記画像記録装置にて記録すべき前記画像データを、前記第２無線通信により、前記画像記録装置に送信する画像データ送信処理とを行うことを特徴とする携帯端末。
【請求項８】
画像データを記憶する記憶手段と、画像記録装置との間の距離が所定の通信可能距離内となる場合に確立される第１無線通信にて、前記画像記録装置との間でデータ通信を行うための携帯端末側第１通信手段と、前記携帯端末及び前記画像記録装置のそれぞれに係る通信設定情報に基づいて確立される、前記第１無線通信よりも通信速度が速い第２通信にて、前記画像記録装置との間でデータ通信を行う携帯端末側第２通信手段と、前記携帯端末の姿勢に関する信号を出力するセンサとを備え、前記携帯端末側第１通信手段により前記第１無線通信を行うことが可能であり、前記携帯端末側第２通信手段により前記第２無線通信を行うことが可能である携帯端末のコンピュータが実行可能な制御プログラムであって、前記コンピュータにより実行されると、
前記第１無線通信により、前記携帯端末に係る前記通信設定情報を送信する携帯端末通信設定情報送信処理、及び前記画像記録装置に係る前記通信設定情報を受信する画像記録装置通信設定情報受信処理の少なくとも何れかと、前記画像記録装置との間で前記第１無線通信が確立されたときから、前記センサが出力する信号を連続的に記録する記録処理、
前記記録処理で連続的に記録された信号から生成した情報を複数の画像記録条件のそれぞれに対応する複数の参照情報と比較して、当該複数の参照情報のいずれかと一致するときは、一致した参照情報に対応する画像記録条件を指示するためのコマンドを選択するコマンド選択処理、
前記コマンド選択処理で選択された一又は複数の前記コマンドを、前記第１無線通信又は前記第２無線通信により、前記画像記録装置に送信するコマンド送信処理、及び、
前記記憶手段に記憶された前記画像データのうち前記画像記録装置にて記録すべき前記画像データを、前記第２無線通信により、前記画像記録装置に送信する画像データ送信処理を行うように前記携帯端末を機能させることを特徴とする携帯端末の制御プログラム。
【発明の詳細な説明】
【技術分野】
【０００１】
本発明は、記録媒体に画像を記録する画像記録システム、画像記録方法、携帯端末、及び、携帯端末の制御プログラムに関する。
【背景技術】
【０００２】
携帯端末に記憶されている画像データを画像記録装置に送信し、画像記録装置において画像データに係る画像の印刷処理を行う印刷システムが知られている。例えば、特許文献１では、携帯端末と画像記録装置との間で、通信速度が異なる二つの無線通信方式でデータ通信を行うことが可能に構成された印刷システムが開示されている。この印刷システムでは、通信速度が遅い第１無線通信方式による通信が確立したときに、携帯端末から画像記録装置に対して、通信設定情報及び印刷設定情報が送信される。そして、画像記録装置が、受信した通信設定情報を用いて通信速度が速い第２無線通信方式による通信を確立し、この第２無線通信方式にて携帯端末から画像データを受信した後、第１無線通信方式にて受信していた印刷設定情報に従って印刷処理を行っている。
【０００３】
【特許文献１】特開２０１０−２４１１１４号公報
【発明の概要】
【発明が解決しようとする課題】
【０００４】
ところで、上記特許文献１に記載された印刷システムでは、ユーザは印刷設定情報の設定を、携帯端末の操作により実行する必要がある。しかしながら、携帯端末の操作性は必ずしもよいとはいえず、特に小型の携帯端末においては、操作性はさらに低下する。
【０００５】
本発明の目的は、ユーザの操作性を向上させることができる印刷システム、印刷方法、携帯端末、及び、携帯端末の制御プログラムを提供することである。
【課題を解決するための手段】
【０００６】
本発明の画像記録システムは、携帯端末と、記録媒体に画像を記録する画像記録装置とを有する画像記録システムである。前記携帯端末は、画像データを記憶する記憶手段と、前記画像記録装置との間の距離が所定の通信可能距離内となる場合に確立される第１無線通信にて、前記画像記録装置との間でデータ通信を行うための携帯端末側第１通信手段と、前記携帯端末及び前記画像記録装置のそれぞれに係る通信設定情報に基づいて確立される、前記第１無線通信よりも通信速度が速い第２通信にて、前記画像記録装置との間でデータ通信を行う携帯端末側第２通信手段と、前記携帯端末の姿勢に関する信号を出力するセンサと、前記第１及び第２通信手段、並びに、前記センサを制御する携帯端末側制御手段とを備えている。前記携帯端末側制御手段は、前記携帯端末側第１通信手段により前記第１無線通信を行うことが可能であり、前記携帯端末側第２通信手段により前記第２無線通信を行うことが可能であり、前記第１無線通信により、前記携帯端末に係る前記通信設定情報を送信する携帯端末通信設定情報送信処理、及び前記画像記録装置に係る前記通信設定情報を受信する画像記録装置通信設定情報受信処理の少なくとも何れかと、前記画像記録装置との間で前記第１無線通信が確立されたときから、前記センサが出力する信号を連続的に記録する記録処理と、前記記録処理で連続的に記録された信号から生成した情報を複数の画像記録条件のそれぞれに対応する複数の参照情報と比較して、当該複数の参照情報のいずれかと一致するときは、一致した参照情報に対応する画像記録条件を指示するためのコマンドを選択するコマンド選択処理と、前記コマンド選択処理で選択された一又は複数の前記コマンドを、前記第１無線通信又は前記第２無線通信により、前記画像記録装置に送信するコマンド送信処理と、前記記憶手段に記憶された前記画像データのうち前記画像記録装置にて印刷すべき前記画像データを、前記第２無線通信により、前記画像記録装置に送信する画像データ送信処理とを行う。前記画像記録装置は、前記第１無線通信にて、前記携帯端末との間でデータ通信を行うための画像記録装置側第１通信手段と、前記第２無線通信にて、前記携帯端末との間でデータ通信を行うための画像記録装置側第２通信手段と、前記画像データに関する画像を記録媒体に記録する画像記録機構と、前記画像記録装置側第１通信手段及び画像記録装置側第２通信手段、並びに、前記画像記録機構を制御する画像記録装置側制御手段とを備えている。前記画像記録装置側制御手段は、前記画像記録装置側第１通信手段により前記第１無線通信を行うことが可能であり、前記画像記録装置側第２通信手段により前記第２無線通信を行うことが可能であり、前記第１無線通信により、前記携帯端末側制御手段の制御に従い送信された前記携帯端末に係る前記通信設定情報を受信する携帯端末通信設定情報受信処理、及び前記携帯端末側制御手段の制御に従い受信される前記画像記録装置に係る前記通信設定情報を送信する画像記録装置通信設定情報送信処理の少なくとも何れかと、前記第１無線通信又は前記第２無線通信のいずれかによって、前記携帯端末から送信された一又は複数の前記コマンドに従って、画像記録条件を確定する画像記録条件確定処理と、前記第２無線通信によって前記携帯端末から送信された前記画像データが、前記画像記録条件確定処理によって確定された画像記録条件で記録されるように、前記画像記録機構を制御する印刷実行処理とを行う。
【０００７】
本発明の画像記録方法は、携帯端末と、記録媒体に画像を記録する画像記録装置とを有する画像記録システムにおける画像記録方法である。前記携帯端末は、画像データを記憶する記憶手段と、前記画像記録装置との間の距離が所定の通信可能距離内となる場合に確立される第１無線通信にて、前記画像記録装置との間でデータ通信を行うための携帯端末側第１通信手段と、前記携帯端末及び前記画像記録装置のそれぞれに係る通信設定情報に基づいて確立される、前記第１無線通信よりも通信速度が速い第２通信にて、前記画像記録装置との間でデータ通信を行う携帯端末側第２通信手段と、前記携帯端末の姿勢に関する信号を出力するセンサと、前記第１及び第２通信手段、並びに、前記センサを制御する携帯端末側制御手段とを備えている。前記携帯端末側制御手段において、前記携帯端末側第１通信手段により前記第１無線通信を行うことが可能であり、前記携帯端末側第２通信手段により前記第２無線通信を行うことが可能であり、前記第１無線通信により、前記携帯端末に係る前記通信設定情報を送信する携帯端末通信設定情報送信処理、及び前記画像記録装置に係る前記通信設定情報を受信する画像記録装置通信設定情報受信処理の少なくとも何れかと、前記画像記録装置との間で前記第１無線通信が確立されたときから、前記センサが出力する信号を連続的に記録する記録処理、前記記録処理で連続的に記録された信号から生成した情報を複数の画像記録条件のそれぞれに対応する複数の参照情報と比較して、当該複数の参照情報のいずれかと一致するときは、一致した参照情報に対応する画像記録条件を指示するためのコマンドを選択するコマンド選択処理、前記コマンド選択処理で選択された一又は複数の前記コマンドを、前記第１無線通信又は前記第２無線通信により、前記画像記録装置に送信するコマンド送信処理、及び、前記記憶手段に記憶された前記画像データのうち前記画像記録装置にて記録すべき前記画像データを、前記第２無線通信により、前記画像記録装置に送信する画像データ送信処理を行う。前記画像記録装置は、前記第１無線通信にて、前記携帯端末との間でデータ通信を行うための画像記録装置側第１通信手段と、前記第２無線通信にて、前記携帯端末との間でデータ通信を行うための画像記録装置側第２通信手段と、前記画像データに関する画像を記録媒体に記録する画像記録機構と、前記画像記録装置側第１通信手段及び画像記録装置側第２通信手段、並びに、前記画像記録機構を制御する画像記録装置側制御手段とを備えている。前記画像記録装置側制御手段において、前記画像記録装置側第１通信手段により前記第１無線通信を行うことが可能であり、前記画像記録装置側第２通信手段により前記第２無線通信を行うことが可能であり、前記第１無線通信により、前記携帯端末側制御手段の制御に従い送信された前記携帯端末に係る前記通信設定情報を受信する携帯端末通信設定情報受信処理、及び前記携帯端末側制御手段の制御に従い受信される前記画像記録装置に係る前記通信設定情報を送信する画像記録装置通信設定情報送信処理の少なくとも何れか、前記第１無線通信又は前記第２無線通信のいずれかによって、前記携帯端末から送信された一又は複数の前記コマンドに従って、画像記録条件を確定する画像記録条件確定処理、及び、前記第２無線通信によって前記携帯端末から送信された前記画像データが、前記画像記録条件確定処理によって確定された画像記録条件で記録されるように、前記画像記録機構を制御する記録処理を行う。
【０００８】
本発明の携帯端末は、画像データを記憶する記憶手段と、画像記録装置との間の距離が所定の通信可能距離内となる場合に確立される第１無線通信にて、前記画像記録装置との間でデータ通信を行うための携帯端末側第１通信手段と、前記携帯端末及び前記画像記録装置のそれぞれに係る通信設定情報に基づいて確立される、前記第１無線通信よりも通信速度が速い第２通信にて、前記画像記録装置との間でデータ通信を行う携帯端末側第２通信手段と、前記携帯端末の姿勢に関する信号を出力するセンサと、前記第１及び第２通信手段、並びに、前記センサを制御する携帯端末側制御手段とを備えており、前記携帯端末側制御手段は、前記携帯端末側第１通信手段により前記第１無線通信を行うことが可能であり、前記携帯端末側第２通信手段により前記第２無線通信を行うことが可能であり、前記第１無線通信により、前記携帯端末に係る前記通信設定情報を送信する携帯端末通信設定情報送信処理、及び前記画像記録装置に係る前記通信設定情報を受信する画像記録装置通信設定情報受信処理の少なくとも何れかと、前記画像記録装置との間で前記第１無線通信が確立されたときから、前記センサが出力する信号を連続的に記録する記録処理と、前記記録処理で連続的に記録された信号から生成した情報を複数の画像記録条件のそれぞれに対応する複数の参照情報と比較して、当該複数の参照情報のいずれかと一致するときは、一致した参照情報に対応する画像記録条件を指示するためのコマンドを選択するコマンド選択処理と、前記コマンド選択処理で選択された一又は複数の前記コマンドを、前記第１無線通信又は前記第２無線通信により、前記画像記録装置に送信するコマンド送信処理と、前記記憶手段に記憶された前記画像データのうち前記画像記録装置にて記録すべき前記画像データを、前記第２無線通信により、前記画像記録装置に送信する画像データ送信処理とを行う。
【０００９】
本発明の携帯端末の制御プログラムは、画像データを記憶する記憶手段と、画像記録装置との間の距離が所定の通信可能距離内となる場合に確立される第１無線通信にて、前記画像記録装置との間でデータ通信を行うための携帯端末側第１通信手段と、前記携帯端末及び前記画像記録装置のそれぞれに係る通信設定情報に基づいて確立される、前記第１無線通信よりも通信速度が速い第２通信にて、前記画像記録装置との間でデータ通信を行う携帯端末側第２通信手段と、前記携帯端末の姿勢に関する信号を出力するセンサとを備え、前記携帯端末側第１通信手段により前記第１無線通信を行うことが可能であり、前記携帯端末側第２通信手段により前記第２無線通信を行うことが可能である携帯端末のコンピュータが実行可能な制御プログラムであって、前記コンピュータにより実行されると、前記第１無線通信により、前記携帯端末に係る前記通信設定情報を送信する携帯端末通信設定情報送信処理、及び前記画像記録装置に係る前記通信設定情報を受信する画像記録装置通信設定情報受信処理の少なくとも何れかと、前記画像記録装置との間で前記第１無線通信が確立されたときから、前記センサが出力する信号を連続的に記録する記録処理、前記記録処理で連続的に記録された信号から生成した情報を複数の画像記録条件のそれぞれに対応する複数の参照情報と比較して、当該複数の参照情報のいずれかと一致するときは、一致した参照情報に対応する画像記録条件を指示するためのコマンドを選択するコマンド選択処理、前記コマンド選択処理で選択された一又は複数の前記コマンドを、前記第１無線通信又は前記第２無線通信により、前記画像記録装置に送信するコマンド送信処理、及び、前記記憶手段に記憶された前記画像データのうち前記画像記録装置にて記録すべき前記画像データを、前記第２無線通信により、前記画像記録装置に送信する画像データ送信処理を行うように前記携帯端末を機能させる。
【発明の効果】
【００１０】
本発明によると、第１無線通信を確立させてからの携帯端末の姿勢の変化によって、画像記録条件を決定することができるため、ユーザの操作性を向上させることができる。
【図面の簡単な説明】
【００１１】
【図１】第１実施形態に係る画像記録システムの外観斜視図である。
【図２】図１に示す複合機（ＭＦＰ）の電気的構成図である。
【図３】（ａ）は図１に示す携帯端末の電気的構成図であり、（ｂ）は印刷面変更テーブルを示す図であり、（ｃ）は印刷方向変更テーブルを示す図である。
【図４】図１に示す携帯端末の姿勢の変化を示す変化情報について説明する図である。
【図５】図１に示す複合機の操作パネルのディスプレイに表示される画像を示す図である。
【図６】図１に示す携帯端末の動作フロー図である。
【図７】図６に示す印刷設定処理を示す動作フロー図である。
【図８】図７に示す切断検知処理を示す動作フロー図である。
【図９】図８に示す印刷指示処理を示す動作フロー図である。
【図１０】携帯端末と複合機との間のデータ通信の手順を示すシーケンス図である。
【図１１】変形例に係る携帯端末と複合機との間のデータ通信の手順を示すシーケンス図である。
【図１２】さらなる変形例に係る切断検知処理を示す動作フロー図である。
【発明を実施するための形態】
【００１２】
［画像記録システムの全体構成］
【００１３】
以下、本発明の第１実施形態に係る画像記録システムについて、図面を参照しつつ説明する。本実施形態の画像記録システム９００は、図１に示すように、印刷機能及び画像読取機能（スキャナ）を有する複合機（ＭＦＰ：Ｍｕｌｔｉ  Ｆｕｎｃｔｉｏｎ  Ｐｅｒｉｐｈｅｒａｌ）２００（画像記録装置の一例）と、ＭＦＰに印刷させる画像データを出力する携帯端末１００と、を備えている。
【００１４】
ＭＦＰ２００は、印刷機能として、記録媒体である用紙の両面に画像を印刷する両面印刷を行うことが可能である。携帯端末１００は、携帯電話機やＰＤＡ（Ｐｅｒｓｏｎａｌ  Ｄｉｇｉｔａｌ  Ａｓｓｉｓｔａｎｔｓ）等の携帯端末であり、ＭＦＰ２００との間でＮＦＣ（Near Field Communication）方式による無線通信（第１無線通信）、及びＷｉ−Ｆｉ（Wireless Fidelity）ダイレクト方式による無線通信（第２無線通信）によってデータの送受信が可能となっている。
【００１５】
ＮＦＣ方式による無線通信（以下、ＮＦＣ通信と称す。）は、１０ｃｍ程度の極近距離を通信可能距離とする無線通信であり、携帯端末１００とＭＦＰ２００とを近接（又は接触）させることで通信が確立される。また、ＮＦＣ通信は、Ｗｉ−Ｆｉダイレクト方式による無線通信（以下、ＷＦＤ通信と称す。）と比べて、通信速度が遅いため、比較的小容量のデータの通信に用いられる。なお、ＮＦＣ通信の場合、その通信可能距離の物理的制限から通信相手の特定が容易であり、その分、通信の確立が、ＷＦＤ通信の場合よりも容易である。つまり、ユーザは、携帯端末１００を通信相手となるＭＦＰ２００に近接させる必要があるが、その行為自体が通信相手を指定することになるので、通信設定を行う必要がない。
【００１６】
一方、ＷＦＤ通信は、通信可能距離が数メートル〜数十メートル程度のローカルな無線通信である。ここで、ＷＦＤ通信は、ネットワークを構築し、そのネットワーク内でデータの受け渡しを可能にする通信方式である。そのため、送信元及び受信元の装置間でデータ通信を行うには、ＷＦＤネットワークを構築する必要がある。
【００１７】
そこで、本実施形態の画像記録システム９００では、携帯端末１００とＭＦＰ２００との間でＮＦＣ通信が確立されたときに、ＷＦＤ通信を確立させるためのＷＦＤ接続情報（通信設定情報の一例）を、携帯端末１００とＭＦＰ２００との間で送受信する。そして、このＷＦＤ接続情報に基づいて、携帯端末１００とＭＦＰ２００との間のＷＦＤ通信を確立するように構成されている（いわゆる、ハンドオーバーが行われるように構成されている）。
【００１８】
［ＭＦＰの構成］
【００１９】
続いて、ＭＦＰ２００の概略構成について説明する、ＭＦＰ２００は、図１に示すように、略直方体形状に形成された筐体２０１を有する。また、ＭＦＰ２００は、図２に示すように、用紙に画像を印刷する印刷機構５１（記録手段の一例）と、ＮＦＣインターフェース５２（画像記録装置側第１通信手段の一例）と、無線ＬＡＮインターフェース５３（画像記録装置側第２通信手段の一例）と、動作状況の表示やユーザによる入力操作の受付を行う操作パネル５４と、ＭＦＰ全体を制御する制御部６０とを有する。
【００２０】
ＮＦＣインターフェース５２は、携帯端末１００のＮＦＣインターフェース１５と同様に、ＮＦＣ通信を可能にするインターフェースである。また、無線ＬＡＮインターフェース５３は、携帯端末１００の無線ＬＡＮインターフェース１６と同様に、ＷＦＤ通信を可能にするインターフェースである。
【００２１】
操作パネル５４は、図１に示すように、筐体２０１の上面に設けられており、ユーザ入力を受け付ける入力部５７、メッセージや設定内容を表示するディスプレイ５８、及びＮＦＣ通信を受け付けるＮＦＣ読取面５９を有している。このＮＦＣ読取面５９は、ＮＦＣインターフェース５２の構成要素であり、水平面と平行な面である。ＭＦＰ２００は、電源ＯＮの間、ＮＦＣインターフェース５２から発せられる信号によって、ＮＦＣ通信が実行可能なデバイスを検出する状態になっている。本実施形態においては、ユーザが携帯端末１００の基準面１０２を、ＮＦＣインターフェース５２のＮＦＣ読取面５９に平行した状態でＮＦＣ読取面５９に近接させると、ＭＦＰ２００が携帯端末１００を検出し、携帯端末１００とＭＦＰ２００との間でＮＦＣ通信が確立される。
【００２２】
次に、ＭＦＰ２００の制御部６０について詳細に説明する。制御部６０は、図２に示すように、ＣＰＵ６１と、ＲＯＭ６２と、ＲＡＭ６３と、フラッシュメモリ６４とを有する。ＲＯＭ６２には、ＭＦＰ２００を制御するための制御プログラムであるファームウェアや各種設定が記憶されている。ＲＡＭ６３及びフラッシュメモリ６４は、各種制御プログラムが読み出される作業領域として、あるいはデータを一時的に記憶する記憶領域として利用される。
【００２３】
また、ＲＡＭ６３には、印刷機構５１により実行される印刷に係る複数の設定項目（以下、印刷設定項目）の設定値（コマンド）が記憶される設定値記憶領域６３ｂ、携帯端末１００から送信された画像データを記憶する画像データ記憶領域６３ｃが設けられている。
【００２４】
本実施形態では、印刷設定項目として、印刷面設定項目、及び印刷方向設定項目の２つの設定項目がある。印刷面設定項目は、両面印刷と片面印刷の何れかを設定するための印刷設定項目であり、設定値として「両面印刷」及び「片面印刷」がある。また、印刷方向設定項目は、用紙に対する画像の印刷方向を設定するための設定項目であり、設定値として「縦向印刷」及び「横向印刷」がある。
【００２５】
フラッシュメモリ６４には、携帯端末１００との間でＷＦＤ通信を確立させるためのＷＦＤ接続情報が記憶されている。このＷＦＤ接続情報には、ＳＳＩＤやパスワード、ＭＦＰ２００の固有情報（ＩＰアドレスなど）などが含まれる。
【００２６】
また、フラッシュメモリ６４には、ＭＦＰ２００を機能させる各種アプリが記憶されている。この記憶されているアプリには、ＮＦＣインターフェース５２を用いてＮＦＣ通信を行うＮＦＣ通信プログラム６４ａ、無線ＬＡＮインターフェース５３を用いてＷＦＤ通信を行う無線ＬＡＮ通信プログラム６４ｂが含まれる。
【００２７】
ＣＰＵ６１は、ＲＯＭ６２から読み出した制御プログラムやフラッシュメモリ６４から読み出したプログラムに従って、その演算結果をＲＡＭ６３又はフラッシュメモリ６４に記憶させながら各種の処理を行う。上述したフラッシュメモリ６４に記憶されたアプリの動作も、ＣＰＵ６１によって処理される。
【００２８】
［携帯端末の構成］
【００２９】
続いて、携帯端末１００の概略構成について説明する。携帯端末１００は、図１に示すように、略直方体形状に形成された筐体１０１を有する。筐体１０１の六面のうちの一面は、長方形の形状を有しており、操作キー１１とタッチパネル１２とが長辺方向に沿って配設されている。
【００３０】
以下では、この操作キー１１とタッチパネル１２とが配設された面を、基準面１０２とする。そして、筐体１０１の六面のうち、基準面１０２と平行な面（基準面１０２の裏側の面）を裏面１０３（図４（ａ）参照）とする。また、携帯端末１００の端末基準座標系を、互いに直交するＸ軸、Ｙ軸、及びＺ軸で定義する。Ｘ軸は、基準面１０２の短辺方向に沿った軸であり、所定の方向に向かう方向を正の方向とした軸である。Ｙ軸は、基準面１０２の長辺方向に沿った軸であり、操作キー１１からタッチパネル１２に向かう方向を正の方向とした軸である。Ｚ軸は、基準面１０２と直交する軸であり、裏面１０３から基準面１０２に向かう方向を正の方向とした軸である。
【００３１】
また、携帯端末１００は、図３（ａ）に示すように、外部装置との通信を可能にする通信インターフェースとしてＮＦＣインターフェース１５（携帯端末側第１通信手段）及び無線ＬＡＮインターフェース１６（携帯端末側第２通信手段）と、メモリーカード１７ａ（記憶手段の一例）を着脱自在なメモリーカードインターフェース１７と、携帯端末の姿勢に関する信号（以下、姿勢信号と称す。）を出力するセンサ２０と、携帯端末全体を制御する制御部３０とを有している。メモリーカード１７ａには、ユーザが所有する画像データ（例えば、写真や文書ファイルなど）が記憶されている。
【００３２】
ＮＦＣインターフェース１５は、ＩＳＯ／ＩＥＣ２１４８１又はＩＳＯ／ＩＥＣ１８０９２の国際標準規格に基づいて、ＮＦＣ通信を可能にするインターフェースである。携帯端末１００は、ＮＦＣインターフェース１５を介して外部装置との間でＮＦＣ通信によるデータ送受信を行う。無線ＬＡＮインターフェース１６は、ＩＥＥＥの８０２．１１の規格及びそれに準ずる規格に基づいて、ＷＦＤ通信を可能にするインターフェースである。携帯端末１００は、無線ＬＡＮインターフェース１６を介して外部装置との間でＷＦＤ通信によるデータ送受信を行う。
【００３３】
センサ２０は、重力方向センサ２１及び方位センサ２２から構成されており、携帯端末１００の姿勢に関する姿勢信号を出力する。ここで、姿勢信号には、筐体１０１の六面のうち、鉛直下方向に向いている面（以下、単に下面と称す。）に関する下面信号と、携帯端末１００が向いている方位に関する方位信号とが含まれる。
【００３４】
重力方向センサ２１は、下面信号を出力するセンサである。本実施形態では、重力方向センサ２１は、３軸加速度センサから構成されており、その３軸は、携帯端末１００の端末基準座標系のＸ軸、Ｙ軸、及びＺ軸とそれぞれ一致している。重力方向センサ２１は、３軸加速度センサの３軸それぞれの加速度に基づいて、携帯端末１００の重力方向を検知することで、筐体１０１の六面のうち、どの面が鉛直下方向に向いているかを検出する。そして、重力方向センサ２１は、その検出結果に基づいて下面信号を出力する。
【００３５】
方位センサ２２は、方位信号を出力するセンサである。本実施形態では、方位センサ２２は、ＧＰＳ衛星から受信した電波に基づいて真北を検出する。そして、真北に対する、携帯端末１００のＹ軸の正方向を水平面に射影したベクトルがなす角度に基づいて、携帯端末１００の方位を検出する。方位センサ２２は、その検出結果に基づいて方位信号を出力する。なお、方位センサ２２は、磁北を用いて携帯端末１００の方位を検出してもよい。
【００３６】
次に、携帯端末１００の制御部３０について説明する。制御部３０は、図３（ａ）に示すように、ＣＰＵ３１と、ＲＯＭ３２と、ＲＡＭ３３と、フラッシュメモリ３４とを有する。ＲＯＭ３２には、携帯端末１００を制御するための制御プログラムであるファームウェアや各種設定が記憶されている。ＲＡＭ３３及びフラッシュメモリ３４は、各種制御プログラムが読み出される作業領域として、或いはデータを一時的に記憶する記憶領域として利用される。
【００３７】
フラッシュメモリ３４には、ＭＦＰ２００との間でＷＦＤ通信を確立させるためのＷＦＤ接続情報が記憶されている。このＷＦＤ接続情報には、ＷＦＤネットワークを識別するための識別子であるＳＳＩＤ（Service Set IDentifier）やパスワード、携帯端末１００のＩＰアドレスなどの固有情報が含まれる。
【００３８】
また、フラッシュメモリ３４には、ＯＳや、各種のデバイスを制御するデバイスドライバ等が組み込まれている。更に、フラッシュメモリ３４には、携帯端末１００を機能させる各種アプリケーション（以下、アプリ）が記憶されている。この記憶されているアプリには、ＮＦＣインターフェース１５を用いてＮＦＣ通信を行うＮＦＣ通信プログラム３４ａ、無線ＬＡＮインターフェース１６を用いてＷＦＤ通信を行う無線ＬＡＮ通信プログラム３４ｂ、画像データ送信プログラム３４ｃ、姿勢信号取得プログラム３４ｄ、変化情報生成プログラム３４ｅ、及び、設定値設定プログラム３４ｆが含まれる。
【００３９】
画像データ送信プログラム３４ｃは、ユーザによって選択された印刷対象の画像データを、無線ＬＡＮ通信プログラム３４ｂを介して、ＷＦＤ通信にてＭＦＰ２００に送信するためのプログラムである。
【００４０】
姿勢信号取得プログラム３４ｄは、ＮＦＣ通信が確立されているとき、センサ２０から出力されている姿勢信号を所定周期で取得し、取得した姿勢信号をＲＡＭ３３に連続的に記憶するためのプログラムである。また、姿勢信号取得プログラム３４ｄを実行するＣＰＵ３１は、ＮＦＣ通信が切断されて第１所定時間が経過したとき、ＲＡＭ３３に記憶した姿勢信号を全て消去する。
【００４１】
変化情報生成プログラム３４eは、ＲＡＭ３３に記憶された複数の姿勢信号から、携帯端末１００の姿勢の変化を示す変化情報を生成するためのプログラムである。本実施形態においては、ＮＦＣ通信が確立されときに記憶された姿勢信号を起点姿勢情報として記憶し、この起点姿勢情報と各周期に記憶された姿勢信号との差分を算出し、算出した差分を変化情報とする。この変化情報には、姿勢信号に含まれる下面信号に基づいて生成される下面変化情報と、姿勢信号に含まれる方位信号に基づいて生成される方位変化情報とが含まれる。
【００４２】
ここで、上述したように、本実施形態では、ユーザが携帯端末１００の基準面１０２を、水平面と平行な面であるＮＦＣ読取面５９に平行した状態で、ＮＦＣ読取面５９に近接させたときに、携帯端末１００とＭＦＰ２００との間でＮＦＣ通信が確立される。従って、携帯端末１００から受信した姿勢信号に含まれる下面信号は、基準面１０２と裏面１０３との鉛直方向に関する位置関係を示す信号となる。このため、下面信号に基づいて生成される下面変化情報は、基準面１０２と裏面１０３との鉛直方向に関する位置関係か変化（逆転）する「上下逆転」（図４（ａ）参照）、及び、基準面１０２と裏面１０３との鉛直方向に関する位置関係か変化しない「変化なし」（図４（ｂ），（ｃ）参照）の何れか一方となる。
【００４３】
設定値設定プログラム３４ｆは、変化情報生成プログラム３４eにより生成された変化情報に基づいて、印刷設定項目における設定値の設定（更新）を行うためのプログラムである。具体的には、設定値設定プログラム３４ｆは、印刷面設定項目、及び印刷方向設定項目の規定の設定値（デフォルト印刷設定値）を含む。本実施形態においては、印刷面設定項目の規定の設定値は「片面印刷」であり、印刷面設定項目の規定の設定値は「縦向印刷」である。設定値設定プログラム３４ｆを実行するＣＰＵ３１は、１回目のＮＦＣ通信が確立されたときに、このデフォルト印刷設定値をＮＦＣ通信によってＭＦＰ２００に送信し、ＭＦＰ２００の設定値記憶領域６３ｂに記憶させる。ここで、１回目のＮＦＣ通信が確立されたときとは、ユーザが印刷対象の画像データを選択した後で、携帯端末１００とＭＦＰ２００との間で最初にＮＦＣ通信が確立されたときである。
【００４４】
また、設定値設定プログラム３４ｆは、参照情報の一部である印刷面変更テーブルを含む。印刷面変更テーブルは、図３（ｂ）に示すように、携帯端末１００の下面変化情報と、印刷面設定項目における設定値の変更の有無との関係を示すテーブルである。印刷面変更テーブルは、下面変化情報が「変化なし」の場合には印刷面設定項目における設定値をコマンド「片面印刷」に選択設定し、下面変化情報が「上下逆転」の場合には印刷面設定項目における設定値をコマンド「両面印刷」に選択設定することを示している。
【００４５】
更に、設定値設定プログラム３４ｆは、参照情報の一部である印刷方向変更テーブルを含む。印刷方向変更テーブルは、図３（ｃ）に示すように、携帯端末１００の方位変化情報と、印刷方向設定項目における設定値の変更の有無との関係を示すテーブルである。印刷方向変更テーブルは、方位変化情報が示す変更角度θが、「０°≦θ≦４５°」、及び「１３５°≦θ≦１８０°」の何れかの条件を満たす場合に（実質的には変化なし）、印刷方向設定項目における設定値をコマンド「縦向印刷」に選択設定することを示している。また、方位変化情報が示す変更角度θが、「４５°＜θ＜１３５°」の条件を満たす場合に（実質的には９０度回転）、印刷方向設定項目における設定値をコマンド「横向印刷」に選択設定することを示している。
【００４６】
また、設定値設定プログラム３４ｆは、印刷設定項目の設定値が更新される毎に、更新内容がＮＦＣ通信にてＭＦＰ２００に送信するためのプログラムである。このとき、設定値設定プログラム３４ｆを実行するＣＰＵ３１は、図５に示すように、印刷設定項目の設定値の内容をイメージ画像７１及び文字画像７２として、ＭＦＰ２００の操作パネル５４のディスプレイ５８に表示させる。イメージ画像７１は、用紙（図中、実線で図示）と、用紙上において印刷対象の画像データに係る画像が印刷される印刷範囲（図中、破線で図示）との関係、及び、用紙の縦横の向きと、用紙上において印刷される画像の向きとの関係を表した画像である。また、文字画像７２は、印刷設定項目の設定値を文字情報として表した文字画像である。設定値設定プログラム３４ｆを実行するＣＰＵ３１は、印刷設定項目の設定値が更新される毎に、ディスプレイ５８に表示されるイメージ画像７１及び文字画像７２も更新する。
【００４７】
また、設定値設定プログラム３４ｆは、携帯端末１００とＭＦＰ２００との間でＮＦＣ通信が確立された後、当該ＮＦＣ通信が切断されたときから、第１所定時間（例えば、３０秒）が経過するまでに、ＮＦＣ通信が再度確立されなかった場合（切断検知処理：図８参照）に、印刷設定項目の設定値を確定して印刷指示処理を行うためのプログラムである。印刷指示処理を行うことにより、ＭＦＰ２００との間でＷＦＤ通信が確立され、ＷＦＤ通信により印刷すべき画像データがＭＦＰ２００に送信される。画像データを受信したＭＦＰ２００は、当該画像データに関する画像を用紙に印刷する。
【００４８】
ＣＰＵ３１は、ＲＯＭ３２から読み出した制御プログラムやフラッシュメモリ３４から読み出したプログラムに従って、その演算結果をＲＡＭ３３又はフラッシュメモリ３４に記憶させながら各種の処理を行う。上述したアプリの動作も、ＣＰＵ３１によって処理される。
【００４９】
［画像データ送信プログラム、及び設定値設定プログラムの概要］
【００５０】
携帯端末１００にインストールされた画像データ送信プログラム３４ｃ及び設定値設定プログラム３４ｆに従って携帯端末１００のＣＰＵ３１が実行する処理について、図６〜図８を参照しつつ説明する。
【００５１】
＜設定値設定プログラム＞
【００５２】
まず、ＣＰＵ３１は、初期画面としてメモリーカード１７ａに記憶された画像データ一覧を、ファイル名又はサムネイル画像でタッチパネル１２に表示させ（Ａ１）、画像データ一覧から印刷対象の画像データをユーザが選択する（Ａ２：ＹＥＳ）。印刷対象の画像データが選択された後、ユーザがその携帯端末１００をＭＦＰ２００のＮＦＣ読取面５９に近接させることにより、ＭＦＰ２００が携帯端末１００を検出し、携帯端末１００とＭＦＰ２００との間で、ＮＦＣ通信が確立する。ＣＰＵ３１は、ＮＦＣ通信が確立したか否かを判断し（Ａ３）、ＮＦＣ通信が確立していなければ（Ａ３：ＮＯ）、ユーザに携帯端末１００をＭＦＰ２００のＮＦＣ読取面５９に近接させることを促す画像をタッチパネル１２に表示させて、ＮＦＣ通信の確立を待つ。ＣＰＵ３１は、ＮＦＣ通信が確立されれば（Ａ３：ＹＥＳ）、ＮＦＣ通信にて、ＷＦＤ接続情報及びデフォルト印刷設定値をＭＦＰ２００に送信する（Ａ４）。そして、ＣＰＵ３１は、独立した別ルーチンである印刷設定処理を開始（Ａ５）させた後に図６の動作フローを終了する。
【００５３】
次に、印刷設定処理について説明する。図７に示すように、印刷設定処理が開始されると、ＣＰＵ３１は、ＮＦＣ通信が確立されときにＲＡＭ３３に記憶された姿勢信号を起点姿勢情報として取得する（Ｂ１）。そして、ＣＰＵ３１は、独立した別ルーチンである切断検知処理（図８参照：後述）を開始する（Ｂ２）。ＣＰＵ３１は、起点姿勢情報と各周期に記憶された姿勢信号との差分である変化情報に含まれる方位変化情報から、携帯端末１００が起点姿勢情報から９０度回転したか否か、具体的には、方位変化情報が示す変更角度θが「４５°＜θ＜１３５°」の条件を満たすか否かを判断する（Ｂ３）。ＣＰＵ３１は、変更角度θが「４５°＜θ＜１３５°」の条件を満たす場合（Ｂ３：ＹＥＳ）、印刷方向設定項目の設定値を「横向印刷」に設定し（Ｂ４）、変更角度θが「０°≦θ≦４５°」の条件を満たさない場合（Ｂ３：ＮＯ）、すなわち、変更角度θが「０°≦θ≦４５°」、及び「１３５°≦θ≦１８０°」の何れかの条件を満たす場合に、印刷方向設定項目における設定値を「縦向印刷」に設定する（Ｂ５）。
【００５４】
さらに、ＣＰＵ３１は、変化情報に含まれる下面変化情報から、携帯端末１００が起点姿勢情報から上下逆転したか否かを判断する（Ｂ６）。ＣＰＵ３１は、上下逆転したと判断した場合、印刷方向設定項目の設定値を「両面印刷」に設定し（Ｂ７）、上下逆転していないと判断した場合、印刷方向設定項目における設定値を「片面印刷」に設定する（Ｂ８）。なお、印刷方向設定項目は、前回と違う内容に設定する場合のみその内容が更新される。
【００５５】
ＣＰＵ３１は、印刷設定項目が更新されたか否かを判断する（Ｂ９）。ＣＰＵ３１は、印刷方向設定が更新されないと判断すると、Ｂ３から上述の処理を繰り返す。ＣＰＵ３１は、印刷設定項目が更新されたと判断すると、ＮＦＣ通信が確立するまで待機し（Ｂ１０：ＮＯ）、ＮＦＣ通信が確立すれば（Ｂ１０：ＹＥＳ）、ＮＦＣ通信によって更新された印刷設定項目の設定値をＭＦＰ２００に送信する（Ｂ１１）。その後、Ｂ３から上述の処理を繰り返す。なお、印刷設定処理の終了は、切断検知処理によって行われる（後述）。
【００５６】
次に、切断検知処理について説明する。図８に示すように、切断検知処理が開始されると、ＣＰＵ３１は、ＮＦＣ通信が切断されたと判断するまで待機する（Ｃ１：ＮＯ）。ＣＰＵ３１は、ＮＦＣ通信が切断されたと判断すると（Ｃ１：ＹＥＳ）、計時を開始する（Ｃ２）。ＣＰＵ３１は、ＮＦＣ通信が再接続されたと判断すると（Ｃ３：ＹＥＳ）、Ｃ１から上述の処理を繰り返し、ＮＦＣ通信が再接続されていないと判断すると（Ｃ３：ＮＯ）、印刷設定項目が確定される第１所定時間より短い第２所定時間を計時時間が経過しているか否かを判断する（Ｃ４）。ＣＰＵ３１は、計時時間が第２所定時間を経過していないと判断すると（Ｃ４：ＮＯ）、Ｃ３に戻り再びＮＦＣ通信が再接続されたか否かを判断し、計時時間が第２所定時間を経過していると判断すると（Ｃ４：ＹＥＳ）、印刷設定処理を強制終了させる（Ｃ５）。これにより、印刷設定項目が一時的に確定する。
【００５７】
ＣＰＵ３１は、ＮＦＣ通信が再接続されたか否かを判断する（Ｃ６）。ＣＰＵ３１は、ＮＦＣ通信が再接続されたと判断したとき（Ｃ６：ＹＥＳ）、再び、印刷設定処理を開始させる（Ｃ７）。これにより、印刷設定を追加で行うことになる。ＣＰＵ３１は、ＮＦＣ通信が再接続されていないと判断したとき（Ｃ６：ＮＯ）、第１所定時間が経過するまでＣ６の判断を繰り返す（Ｃ８：ＮＯ）。ＣＰＵ３１は、第１所定時間が経過したと判断したとき（Ｃ８：ＹＥＳ）。記憶した姿勢信号を全て消去し（Ｃ９）、印刷指示処理を開始させて（Ｃ１０）、図８の動作フローを終了する。なお、ＭＦＣ２００においては、携帯端末１００から送信された設定値を受信する毎に、設定値記憶領域６３ｂに記憶されている同一コマンドの設定値が順次書き換えられる（例えば、縦向印刷→横向印刷→縦向印刷）。また、ＭＦＣ２００は、携帯端末１００から印刷指示処理に伴って画像データが送信されたときに、印刷条件を確定する。
【００５８】
＜画像データ送信プログラム＞
次に、印刷指示処理について説明する。図９に示すように、印刷指示処理が実行されると、ＣＰＵ３１は、ハンドオーバー要求をＭＦＰ２００に送信する（Ｄ１）。そして、ＣＰＵ３１はハンドオーバー要求に対する応答として、ＭＦＰ２００からハンドオーバー要求応答を受信する（Ｄ２）。
【００５９】
ＣＰＵ３１は、ＭＦＰ２００との間でのＷＦＤ通信を確立する（Ｄ３）。すなわち、ＮＦＣ通信からＷＦＤ通信へのハンドオーバーが実現される。ＣＰＵ３１は、ＭＦＰ２００とのＷＦＤ通信を確立させた後は、当該ＷＦＤ通信にて、ユーザにより選択された印刷対象の画像データをＭＦＰ２００に送信する（Ｄ４）。この後、ＣＰＵ３１は、ＭＦＰ２００から送信された、画像データ受信通知を受信する（Ｄ５）。この画像データ受信通知は、ＭＦＰ２００が携帯端末１００から送信された画像データを受信した際に、ＭＦＰ２００から携帯端末１００に対して、ＷＦＤ通信にて送信される通知である。次に、ＣＰＵ３１は、携帯端末１００とＭＦＰ２００との間のＷＦＤ通信を切断する（Ｄ６）。以上で、図９の動作フローを終了する。
【００６０】
［装置間のデータ通信手順］
【００６１】
続いて、図１０を参照しつつ、携帯端末１００とＭＦＰ２００との間におけるデータ通信手順について説明する。図１０に示すように、ユーザが印刷すべき画像データを選択した状態で携帯端末１００をＭＦＰ２００のＮＦＣ読取面５９に近接させる（かざす）ことによりＮＦＣ通信が確立する（Ｓ１）。ＮＦＣ通信が確立すると、携帯端末１００は、ＷＦＤ通信に関する通信情報及びデフォルト印刷設定項目の設定値をＭＦＰ２００に送信する（Ｓ２）。ＭＦＰ２００は、通信情報及びデフォルト印刷設定項目の設定値を受信したときに、受信ＯＫを携帯端末１００に返信し（Ｓ３）、受信したデフォルト印刷設定項目の設定値を設定値記憶領域６３ｂに記憶する（Ｓ４）。
【００６２】
一方、携帯端末１００は姿勢変化の計測を開始する（Ｓ５）。そして、ユーザによる携帯端末１００の姿勢変化（９０度回転又は上下逆転）により、印刷設定項目の内容が更新される毎に（Ｓ６）、携帯端末１００が、更新された印刷設定値をＭＦＰ２００に送信する（Ｓ７）。ＭＦＰ２００は、新たに受信した印刷設定値を設定値記憶領域６３ｂに記憶する（Ｓ８）。そして、携帯端末１００がＭＦＰ２００のＮＦＣ読取面５９から離れてＮＦＣ通信が切断されると（Ｓ９）、携帯端末１００は、計時開始し（Ｓ１０）、第１所定時間経過してもＮＦＣ通信の再接続がないときは（Ｓ１１）、印刷設定項目が確定する。ＭＦＣ２００においても、印刷指示処理により画像データが送信されたときに、印刷設定項目が確定する。
【００６３】
そして、携帯端末１００及びＭＦＰ２００は、ＷＦＤ通信によってハンドオーバーを行う（Ｓ１２）。そして、携帯端末１００とＭＦＰ２００との間でＷＦＤ通信が確立する（Ｓ１３）。携帯端末１００は、ＷＦＤ通信にて、印刷対象の画像データをＭＦＰ２００に送信する（Ｓ１４）。ＭＦＰ２００は、受信した画像データをＲＡＭ６３の画像データ記憶領域６３ｃに記憶し（Ｓ１５）、ＷＦＤ通信にて、携帯端末１００に画像データ受信通知を送信する（Ｓ１６）。
【００６４】
ＭＦＰ２００は、設定値記憶領域６３ｂに記憶された印刷設定項目の設定値に従って、画像データ記憶領域６３ｃに記憶されている画像データに係る画像を用紙に印刷する（Ｓ１７）。印刷が完了した後は、ＭＦＰ２００が、ＷＦＤ通信にて、印刷完了通知を携帯端末１００に送信する（Ｓ１８）。その後、携帯端末１００とＭＦＰ２００との間のＷＦＤ通信が切断される（Ｓ１９）。
【００６５】
以上、本実施形態によると、ユーザは、ＮＦＣ通信が確立されるときの携帯端末１００の姿勢を変化させることで、ＭＦＰ２００の印刷設定項目の設定値を設定することができる。従って、印刷設定項目の設定値の設定に係るユーザの操作性を向上させることができる。
【００６６】
また、ＮＦＣ通信が切断されてからの計時時間が第２所定時間になるまでの間に再接続がないと、印刷設定項目が一時的に確定されるため、ユーザが意図的に携帯端末１００をＮＦＣ読取面５９から通信可能距離以上に離したとき、ユーザに印刷設定項目の変更の意思がないと判断することで、印刷を素早く実行させることができる。
【００６７】
さらに、ＮＦＣ通信が切断されてから第２所定時間が経過するまで姿勢信号が記憶されるため、ユーザが、通信可能距離内でその大半を行った携帯端末１００の動作変化のみを、印刷設定に用いることができる。
【００６８】
加えて、ＮＦＣ通信が切断されてからの計時時間が第１所定時間以上になると、記録された姿勢信号がすべて消去されるため、次の印刷指示処理が実行されたときに新たな姿勢信号を確実に記録することができる。
【００６９】
ＮＦＣ通信が切断されるまでの間において、印刷設定が更新される毎に設定値がＭＦＰ２００に送信されるため、ユーザが通信可能距離内で行った携帯端末１００の動作のみを、印刷設定に用いることができる。
【００７０】
＜変形例＞
【００７１】
次に、本実施形態の第１変形例について説明する。上述の実施形態においては、印刷設定項目の設定値はＮＦＣ通信によってＭＦＰ２００に送信される構成であるが、ＷＦＤ通信によって送信される構成であってもよい。例えば、図１１に示すように、ＮＦＣ通信が確立したとき（Ｓ１）に、デフォルト印刷設定項目の設定値を含まない通信情報のみをＭＦＰ２００に送信する（Ｓ１０２）。そして、ＷＤＦ通信が確立した後に（Ｓ１３）、携帯端末１００は、ＷＦＤ通信により、画像データと共に印刷設定項目の設定値をＭＦＰ２００に送信する（Ｓ１１４）。ＭＦＰ２００は、受信した設定値を設定値記憶領域６３ｂに記憶させる（Ｓ１１５）。なお、更新された設定値がＮＦＣ通信で送信されないことを除いて、他の処理は上述の実施形態と同様でよい。
【００７２】
次に、本実施形態の第２変形例について説明する。上述の実施形態においては、ＮＦＣ通信が切断されてからの計時時間が第２所定時間以上となると印刷設定項目が一時的に確定され、その後、計時時間が第１所定時間以上になるまでＮＦＣ通信が再接続されなければ印刷設定項目が最終的に確定される構成になっているが、第２所定時間と第１所定時間とが一致していてもよい。例えば、図１２に示すように、切断検知処理が開始されると、ＣＰＵ３１は、ＮＦＣ通信が切断されたと判断するまで待機する（Ｅ１：ＮＯ）。ＣＰＵ３１は、ＮＦＣ通信が切断されたと判断すると（Ｅ１：ＹＥＳ）、計時を開始する（Ｅ２）。ＣＰＵ３１は、ＮＦＣ通信が再接続されたと判断すると（Ｅ３：ＹＥＳ）、Ｅ１から上述の処理を繰り返し、ＮＦＣ通信が再接続されていないと判断すると（Ｅ３：ＮＯ）、第１所定時間が経過するまでＣ６の判断を繰り返す（Ｅ４：ＮＯ）。ＣＰＵ３１は、第１所定時間が経過したと判断したとき（Ｅ４：ＹＥＳ）。印刷設定項目が最終的に確定し、印刷設定処理を強制終了させた後に（Ｅ５）、記憶した姿勢信号を全て消去し（Ｅ６）、
印刷指示処理を開始させて（Ｅ７）、図１２の動作フローを終了する。
【００７３】
以上、本発明の好適な実施形態について説明したが、本発明は上述の実施形態に限られるものではなく、特許請求の範囲に記載した限りにおいて様々な変更が可能なものである。従って、本発明の技術思想の範囲内において、上述の実施形態を組み合わせたり、一部の構成を変更したりしてもよい。例えば、上述の実施形態では、第１無線通信としてＮＦＣ通信を、第２無線通信としてＷＦＤ通信を採用し、ＮＦＣ通信からＷＦＤ通信へのハンドオーバーを行っているが、これらに限るものではない。すなわち、通信距離が異なる２つの通信方式であればよく、他の通信方式としては、例えば、第２無線通信の通信方式がアクセスポイント経由で通信を行う非ダイレクトのＷｉＦｉ（登録商標）であってもよい。また、Bluetooth（登録商標）であってもよい。
【００７４】
また、上述の実施形態において、変化情報に基づいて設定値が設定される印刷設定項目は、印刷面設定項目、及び印刷方向設定項目の２つであったが、特にこれらに限定されるものではない、例えば、カラー印刷及びモノクロ印刷を設定値として有する印刷設定項目の設定値を変化情報に基づいて変更してもよい。
【００７５】
また、上述の実施形態において、携帯端末１００はＭＦＰ２００に印刷設定項目の設定値を送信していたが、変化情報（仮面変化情報、方位変化情報）を送信する構成としてもよい。その場合、印刷面変化テーブル、及び印刷方向変更テーブルは、ＭＦＰ２００が記憶する。そして、ＭＦＰ２００は受信した変化情報に対応する印刷設定項目の設定値を、印刷面変化テーブル、及び印刷方向変更テーブルのいずれかから読み出し、設定値として記憶する。
【００７６】
また、上述の実施形態において、ＭＦＰ２００のＮＦＣ読取面５９は、水平面に平行な面とされていたが、特にこれに限定されるものではなく、例えば、鉛直面に平行な面とされていてもよい。この場合、重力方向センサ２１により、鉛直方向に対する、携帯端末１００のＹ軸の正方向を鉛直面に射影したベクトルがなす角度を示す信号を上述の方位信号に相当する信号として出力する。また、方位センサ２２により、真北に対する、携帯端末１００のＺ軸の正方向を水平面に射影したベクトルがなす角度に基づいて、ＮＦＣ読取面５９に対する、携帯端末１００の基準面１０２及び裏面１０３の位置関係を示す信号を上述の下面信号に相当する信号として出力すればよい。
【００７７】
また、上述の実施形態では、１回目のＮＦＣ通信が確立したときにおいて、携帯端末１００とＭＦＰ２００との間で、双方向に、それぞれの装置に係るＷＦＤ接続情報の送受信がおこなわれていたが、一方の装置から他方の装置への一方向にのみＷＦＤ接続情報が送信されるように構成されていてもよい。例えば、１回目のＮＦＣ通信が確立したときにおいて、携帯端末１００からＭＦＰ２００対して、携帯端末１００に係るＷＦＤ接続情報のみＮＦＣ通信にて送信されるように構成されていてもよい。この場合、携帯端末１００がＭＦＰ２００を特定するために必要なＭＦＰ２００の固有情報は、ＷＦＤ通信にてＭＦＰ２００から携帯端末１００に送信すればよい。
【００７８】
また、上述の実施形態に開示されている処理は、単一のＣＰＵ、複数のＣＰＵ、ＡＳＩＣなどのハードウェア、又はそれらの組み合わせで実行されてもよい。また、ＣＰＵは、一部の処理をＯＳに従い行ってもよい。また、実施形態に開示されている処理は、その処理を実行するためのプログラムを記録した記録媒体、又は方法等の種々の態様で実現することができる。また、携帯端末において、画像データと携帯端末に係るＷＦＤ接続情報は、同一のメモリに記憶されていてもよい。
【００７９】
加えて、ＮＦＣ通信が切断されてからの計時時間が第１所定時間以上になると、記憶された姿勢信号がすべて消去される構成であるが、記憶された姿勢信号をクリアしない構成であってもよい。
【００８０】
また、センサは、上述の実施形態に限られるものではなく、携帯端末１００の姿勢に関する信号を出力するものであればよい。画像記録装置は、ＭＦＰに限らず、印刷機能を備えるものであればよい。
【符号の説明】
【００８１】
１５    ＮＦＣインターフェース（携帯端末側第１通信手段）
１６    無線ＬＡＮインターフェース（携帯端末側第２通信手段）
１７ａ  メモリーカード（記憶手段）
２０    センサ
３０    制御部（携帯端末側制御手段）
５１  印刷機構（記録手段）
５４  ＮＦＣインターフェース（画像記録装置側第１通信手段）
５５  無線ＬＡＮインターフェース（画像記録装置側第２通信手段）
６０    制御部（画像記録装置側制御手段）
１００    携帯端末
２００    複合機（画像記録装置）
９００    画像記録システム
【図７】
2014168179.tif 000003
【図８】
2014168179.tif 000004
【図９】
2014168179.tif 000005
【図１０】
2014168179.tif 000006
【図１１】
2014168179.tif 000007
【図１２】
2014168179.tif 000008
【図１】
2014168179.tif 000009
【図２】
2014168179.tif 000010
【図３】
2014168179.tif 000011
【図４】
2014168179.tif 000012
【図５】
2014168179.tif 000013
【図６】
2014168179.tif 000014